(57)【要約】【課題】落下等の衝撃が加わった場合でも、インキの前方移動に伴うスプリングの前方移動を回避し、ボールの脱落を十分に防止することができるボールペンを提供する。【解決手段】ボールペンチップ２が、内向きの前端縁部３１と、その後方に形成されたボール受け座３２との間で回転可能にボール４が抱持される。インキ収容筒５は、前端部にボールペンチップ２が固着され且つ内部にインキ５１が直に収容される。スプリング６が、ボール４後方のインキ供給路内に収容され、ボール４を前方に付勢し且つボール４を前端縁部３１の内面に圧接する。スプリング６のコイル部８が、径方向外方に突出される密着巻部よりなる環状鍔部８４を備える。インキ供給路内に、環状鍔部８４の前端が係止される前側係止壁部３ａと、環状鍔部８４の後端が係止される後側係止壁部９ａとを設ける。前側係止壁部３ａと後側係止壁部９ａとの間で環状鍔部８４が前後方向に挟持される。【選択図】  図１
2016112858.tif 000002
【特許請求の範囲】
【請求項１】
内向きの前端縁部と、その後方に形成されたボール受け座との間で回転可能にボールを抱持するボールペンチップと、該ボールペンチップが前端部に固着され且つ内部にインキが直に収容されたインキ収容筒と、前記ボール後方のインキ供給路内に収容され、前記ボールを前方に付勢し且つ前記ボールを前記前端縁部の内面に圧接するスプリングと、を備えたボールペンであって、
前記スプリングがコイル部を備え、該コイル部が、径方向外方に突出される密着巻部よりなる環状鍔部を備え、前記インキ供給路内に、前記環状鍔部の前端が係止される前側係止壁部と、前記環状鍔部の後端が係止される後側係止壁部とを設け、前記前側係止壁部と前記後側係止壁部との間で前記環状鍔部が前後方向に挟持されてなること特徴とするボールペン。
【請求項２】
前記前側係止壁部がボールペンチップの後端により構成され、前記後側係止壁部がインキ供給路内面に一体に形成される請求項１に記載のボールペン。
【発明の詳細な説明】
【技術分野】
【０００１】
本発明は、ボールペンに関する。
【背景技術】
【０００２】
従来この種のボールペンにおいて、例えば、特許文献１には、チップを保持する先体の内面のスプリング保持部にスプリングの大径部の後端が当接する構成が開示されている。また、特許文献２には、チップの後端内壁によってスプリングの後端が係止される構成が開示されている。
【先行技術文献】
【特許文献】
【０００３】
【特許文献１】特開平８−１１４７８号公報
【特許文献２】特開平８−２４４３９５号公報
【発明の概要】
【発明が解決しようとする課題】
【０００４】
前記特許文献１、２のボールペンは、何れも落下等で衝撃が加わった場合、インキの前方移動に伴ってスプリングが前方に移動し、該スプリングによってボールが強く前方押圧され、それにより、ボールが外部に脱落するおそれがある。
【０００５】
本発明は前記従来の問題点解決するものであって、落下等の衝撃が加わった場合でも、インキの前方移動に伴うスプリングの前方移動を回避し、ボールの脱落を十分に防止することができるボールペンを提供しようとするものである。
尚、本発明において、「前」とはペン先側を指し、「後」とはその反対側を指す。
【課題を解決するための手段】
【０００６】
本願の第１の発明は、内向きの前端縁部３１と、その後方に形成されたボール受け座３２との間で回転可能にボール４を抱持するボールペンチップ２と、該ボールペンチップ２が前端部に固着され且つ内部にインキ５１が直に収容されたインキ収容筒５と、前記ボール４後方のインキ供給路内に収容され、前記ボール４を前方に付勢し且つ前記ボール４を前記前端縁部３１の内面に圧接するスプリング６と、を備えたボールペンであって、前記スプリング６がコイル部８を備え、該コイル部８が、径方向外方に突出される密着巻部よりなる環状鍔部８４を備え、前記インキ供給路内に、前記環状鍔部８４の前端が係止される前側係止壁部      ３ａと、前記環状鍔部８４の後端が係止される後側係止壁部９ａとを設け、前記前側係止壁部３ａと前記後側係止壁部９ａとの間で前記環状鍔部８４が前後方向に挟持されてなることを要件とする。
【０００７】
前記第１の発明のボールペンは、前記スプリング６がコイル部８を備え、該コイル部８が、径方向外方に突出される密着巻部よりなる環状鍔部８４を備え、前記インキ供給路内に、前記環状鍔部８４の前端が係止される前側係止壁部３ａと、前記環状鍔部８４の後端が係止される後側係止壁部９ａとを設け、前記前側係止壁部３ａと前記後側係止壁部９ａとの間で前記環状鍔部８４が前後方向に挟持されてなることにより、落下等に衝撃が加わった場合でも、インキの前方移動に伴うスプリングの前方移動を回避し、ボールの脱落を十分に防止することができる。
【０００８】
本願の第２の発明は、前記第１の発明のボールペンにおいて、前記前側係止壁部３ａがボールペンチップの後端により構成され，前記後側係止壁部９ａがインキ供給路内面に一体に形成されることを要件とする。
【０００９】
前記第２の発明のボールペンは、前記前側係止壁部３ａがボールペンチップの後端により構成され，前記後側係止壁部９ａがインキ供給路内面に一体に形成されることによって、チップ本体３をインキ収容筒５の前端部に固着すると同時に環状鍔部８４を前記前側係止壁部３ａと前記後側係止壁部９ａとで挟持できる。
【００１０】
尚、本発明で前記ボールペンチップ２が前記インキ収容筒５の前端部に固着される構成は、例えば、前記インキ収容筒５の前端部に直接固着される構成、またはインキ収容筒５の前端部にホルダー９等の別部材を介して固着される構成が挙げられる。
【００１１】
本発明で前記インキ供給路は、インキ収容筒５内のインキがボール４に供給する通路である。前記インキ供給路は、例えば、前記ボールペンチップ２がインキ収容筒５の前端部に直接固着される構成の場合、前記ボールペンチップ２内部及び前記インキ収容筒５内部に形成され、あるいは、前記ボールペンチップ２がインキ収容筒５の前端部にホルダー９等の別部材を介して固着される構成の場合、前記ボールペンチップ２内部と前記インキ収容筒５内部と前記ホルダー９の内部に形成される。
【００１２】
本発明で前記密着巻部は、線材が密着されて巻回される。前記密着巻部においてインキ流通は阻止される。
【発明の効果】
【００１３】
本発明のボールペンによれば、落下等の衝撃が加わった場合でも、インキの前方移動に伴うスプリングの前方移動を回避し、ボールの脱落を十分に防止することができる。
【図面の簡単な説明】
【００１４】
【図１】本発明の第１の実施の形態の要部拡大縦断面図である。
【図２】前記第1の実施の形態の全体を示す縦断面図である。
【図３】本発明の第２の実施の形態の要部拡大縦断面図である。
【図４】本発明の第３の実施の形態の要部拡大縦断面図である。
【図５】本発明の第４の実施の形態の要部拡大縦断面図である。
【発明を実施するための形態】
【００１５】
＜第１の実施の形態＞
図１及び図２に本発明の第１の実施の形態を示す。図１の一点鎖線は、コイル部８の省略部分を示す。
【００１６】
・ボールペン
本実施の形態のボールペン１は、前端部にボール４を回転可能に抱持したボールペンチップ２と、該ボールペンチップ２の後部がその前部に圧入固着されたホルダー９と、該ホルダー９の後部がその前端開口部に圧入固着されたインキ収容筒５と、前記ボールペンチップ２の内部及びホルダー９の内部に収容配置されるスプリング６と、前記インキ収容筒５の後端開口部に圧入固着される尾栓１０とからなる。前記尾栓１０は、インキ収容筒５内と外気とを連通可能にする通気孔を有する
【００１７】
・ボールペンチップ
前記ボールペンチップ２は、チップ本体３とボール４とからなり、前記チップ本体３が前端にボール４を抱持する直円筒状の小径部３３と、該小径部３３より後方に連設されるテーパ部３４と、該テーパ部３４より後方に連設される直円筒状の大径部３５とからなる金属製筒体よりなる。前記金属製筒体は、例えば、ＳＵＳ３０４、ＳＵＳ３０５、ＳＵＳ３２１等のオーステナイト系ステンレス鋼により得られる。前記チップ本体３の小径部３３の前端近傍内面には、内方への押圧変形により、複数（例えば、４個）の内方突出部が周方向に等間隔に形成される。前記内方突出部によりボール受け座３２が形成される。また、チップ本体３の前端には、周状に内方に押圧変形されることにより、内向きの前端縁部３１が形成される。前記ボール受け座３２の前面と前記前端縁部３１の後面との間にはボール４が回転可能に抱持される。前記内方突出部の相互間には、中心部から径方向外方に延び且つ軸方向に貫通するインキ流通間隙が形成される。即ち、前記ボール受け座３２には、前記インキ流通間隙が形成される。前記ボールペンチップ２は、金属製チップ本体３の前端部にボール受け座３２を切削加工によって形成するタイプであってもよい。
【００１８】
・ホルダー
前記ホルダー９は合成樹脂（例えば、ポリプロピレン）の射出成形によって得られる筒状体である。前記ホルダー９は、ボールペンチップ２が取り付けられる先細状の前部９１と、インキ収容筒５の先端面に当接する鍔部９２と、インキ収容筒５の前端開口部に圧入される後部９３とからなる。
【００１９】
・インキ収容筒
前記インキ収容筒５は、合成樹脂（例えば、ポリプロピレン）の押出成形により得られる、両端が開口された円筒体である。前記インキ収容筒５の内部には、インキ５１と、該インキ５１の消費に伴って前進する高粘度流体からなる追従体５２が充填される。
【００２０】
・スプリング
前記スプリング６は、前部のロッド部７と、後部のコイル部８とが１本の金属線材（例えば、ステンレス鋼製線材）により一体に連設される。
【００２１】
・ロッド部
前記ロッド部７は、軸方向に直線状に伸び、前記ボール受け座３２のインキ流通間隙に、挿通される。前記ロッド部７によって、直接、前記ボール４が前方に付勢され、それにより、前記ボール４が前記前端縁部３１の内周面に密接される。
【００２２】
・コイル部
前記コイル部８は、線材が螺旋状に巻回される。
【００２３】
・閉鎖壁部
前記コイル部８の後端部には、軸心から拡径方向に平面状（円板状）に延設された密着巻部からなる閉鎖壁部８１が形成される。前記閉鎖壁部８１は、コイル部８の軸心から拡径方向に延設されるため、コイル部８の後端開口部を有効に閉鎖でき、落下等の衝撃が加わった際、前記インキ収容筒５内の大量のインキによる圧力が、コイル部８後端開口部を介してから直接ボール４に加わることを回避できる。前記閉鎖壁部８１は、後方より目視した際、渦巻き状に視認される。
【００２４】
・流通壁部
前記閉鎖壁部８１の前方には、該閉鎖壁部８１の拡径側端部から軸方向前方に連設され且つ線材間に隙間を有する有効巻部からなる直円筒状の流通壁部８２が形成される。前記流通壁部８２の線材の隙間を介して筆記時、インキが流通可能となる。また、衝撃時、前記インキ収容筒５内のインキの前方移動により前記閉鎖壁部８１が前方に押圧されて、それにより、前記流通壁部８２が圧縮され、線材間の隙間が小さくなるため、一層、インキの前方移動を阻止することができる。なお、前記流通壁部８２の形状は、直円筒状以外にも、円錐状であってもよい。
【００２５】
・遮蔽壁部
前記流通壁部８２の前方には、該インキ流通壁部８２の前端より拡径方向に平面状に連設される密着巻部からなる環状の遮蔽壁部８３が形成される。前記遮蔽壁部８３は、軸線に対して垂直に形成されている。
【００２６】
・環状鍔部
前記遮蔽壁部８３の前方には、該遮蔽壁部８３の拡径側端部より軸方向前方に連設され且つ径方向外方に突出される密着巻部からなる環状鍔部８４が形成される。前記環状鍔部８４が、インキ供給路内に設けられる後側係止壁部９ａと、インキ供給路内に設けられる前側係止壁部３ａとにより、前後方向に挟持されて固定される。前記後側係止壁部９ａは、ホルダー９内面に一体に形成される。前記前側係止壁部３ａは、ボールペンチップ２のチップ本体３の後端面により構成される。即ち、前記ボールペンチップ２を前記ホルダー９の取付孔に圧入することにより、前記環状鍔部８４が前側係止壁部３ａと後側係止壁部９ａの間で前後に挟持される。環状鍔部８４が密着巻部よりなるため、前後に挟持した際、ボールペンチップ２がホルダー９から前方に浮き上がることがない。
【００２７】
本実施の形態のボールペン１は、コイル部８の後端部に、軸心から拡径方向に延びる密着巻部からなる閉鎖壁部８１が形成されることにより、部品点数を増加させることなく、落下等の衝撃が加わった場合でもインキの前方移動によるボール脱落を防止することができる。
【００２８】
本実施の形態のボールペン１は、前記閉鎖壁部８１と遮蔽壁部８３とにより落下等の衝撃が加わった場合でもインキの前方移動によるボール脱落を防止でき、且つ、前記流通壁部８２により、インキ流通性を阻害せず筆記時にペン先からの十分なインキ吐出性が得られる。
【００２９】
本実施の形態のボールペン１は、前記閉鎖壁部８１が平面状の密着巻部からなるにより、落下等の衝撃時のボール４に加わるインキ圧力を一層緩和できる。
【００３０】
本実施の形態のボールペン１は、前記遮蔽壁部８３が平面状の密着巻部からなることにより、落下等の衝撃時のボール４に加わるインキ圧力を一層緩和できる。
【００３１】
本実施の形態のボールペン１は、前記スプリング６がコイル部８を備え、該コイル部８が、径方向外方に突出される密着巻部よりなる環状鍔部８４を備え、前記インキ供給路内に、前記環状鍔部８４の前端が係止される前側係止壁部３ａと、前記環状鍔部８４の後端が係止される後側係止壁部９ａとを設け、前記前側係止壁部３ａと前記後側係止壁部９ａとの間で前記環状鍔部８４が前後方向に挟持されてなることにより、落下等に衝撃が加わった場合でも、インキの前方移動に伴うスプリング６の前方移動を回避し、ボールの脱落を十分に防止することができる。
【００３２】
本実施の形態のボールペン１は、前記前側係止壁部３ａがボールペンチップ２の後端により構成され，前記後側係止壁部９ａがインキ供給路内面に一体に形成されることによって、チップ本体３をインキ収容筒５の前端部に固着すると同時に環状鍔部８４を前記前側係止壁部３ａと前記後側係止壁部９ａとで挟持できる。
【００３３】
＜第２の実施の形態＞
図３に本発明の第２の実施の形態を示す。図３の一点鎖線は、コイル部８の省略部分を示す。
本実施の形態のボールペン１は、第１の実施の形態の変形例であり、第１の実施の形態と異なる点は、閉鎖壁部８１が軸方向前方に向かうに従い次第に拡径する傾斜面状（円錐面状）の密着巻部からなる点と、遮蔽壁部８３が軸方向前方に向かうに従い次第に拡径する傾斜面状（円錐面状）の密着巻部からなる点である。
【００３４】
本実施の形態のボールペン１は、前記閉鎖壁部８１が、軸方向前方に向かうに従い次第に拡径する傾斜面状（円錐面状）の密着巻部からなることにより、筆記時、ボール４への円滑なインキ流通性が得られる。また、本実施の形態のボールペン１は、スプリング６をインキ収容筒５の前端開口部側から挿入する場合、傾斜面状（円錐面状）の密着巻部によりスムーズな挿入が可能となる。
【００３５】
本実施の形態のボールペン１は、前記遮蔽壁部８３が、軸方向前方に向かうに従い次第に拡径する傾斜面状（円錐面状）の密着巻部からなることにより、筆記時、ボール４への円滑なインキ流通性が得られる。また、本実施の形態のボールペン１は、スプリング６をインキ収容筒５の前端開口部側から挿入する場合、傾斜面状（円錐面状）の密着巻部によりスムーズな挿入が可能となる。
【００３６】
尚、他の構成及び作用効果は第１の実施の形態と共通であるため、説明を省略する。
【００３７】
＜第３の実施の形態＞
図４に本発明の第３の実施の形態を示す。図４の一点鎖線は、コイル部８の省略部分を示す。
本実施の形態のボールペン１は、第１の実施の形態の変形例であり、第１の実施の形態と異なる点は、閉鎖壁部８１が軸方向前方に向かうに従い次第に拡径する傾斜面状（円錐面状）の密着巻部からなる点である。
【００３８】
本実施の形態のボールペン１は、前記閉鎖壁部８１が、軸方向前方に向かうに従い次第に拡径する傾斜面状（円錐面状）の密着巻部からなることにより、筆記時、ボール４への円滑なインキ流通性が得られる。また、本実施の形態のボールペン１は、スプリング６をインキ収容筒５の前端開口部側から挿入する場合、傾斜面状（円錐面状）の密着巻部によりスムーズな挿入が可能となる。
【００３９】
尚、他の構成及び作用効果は第１の実施の形態と共通であるため、説明を省略する。
【００４０】
＜第４の実施の形態＞
図５に本発明の第４の実施の形態を示す。図５の一点鎖線は、コイル部８の省略部分を示す。
本実施の形態のボールペン１は、第１の実施の形態の変形例であり、第１の実施の形態と異なる点は、遮蔽壁部８３が軸方向前方に向かうに従い次第に拡径する傾斜面状（円錐面状）の密着巻部からなる点である。
【００４１】
本実施の形態のボールペン１は、前記遮蔽壁部８３が、軸方向前方に向かうに従い次第に拡径する傾斜面状（円錐面状）の密着巻部からなることにより、筆記時、ボール４への円滑なインキ流通性が得られる。また、本実施の形態のボールペン１は、スプリング６をインキ収容筒５の前端開口部側から挿入する場合、傾斜面状（円錐面状）の密着巻部によりスムーズな挿入が可能となる。
【００４２】
尚、他の構成及び作用効果は第１の実施の形態と共通であるため、説明を省略する。
【符号の説明】
【００４３】
１  ボールペン
２  ボールペンチップ  
３  チップ本体
３ａ  前側係止壁部（係止壁部）
３１  前端縁部
３２  ボール受け座
３３  小径部
３４  テーパ部
３５  大径部
４  ボール
５  インキ収容筒
５１  インキ
５２  追従体
６  スプリング
７  ロッド部
８  コイル部
８１  閉鎖壁部
８２  流通壁部
８３  遮蔽壁部
８４  環状鍔部
９  ホルダー
９ａ  後側係止壁部
９１  前部
９２  鍔部
９３  後部
１０  尾栓
【図１】
2016112858.tif 000003
【図２】
2016112858.tif 000004
【図３】
2016112858.tif 000005
【図４】
2016112858.tif 000006
【図５】
2016112858.tif 000007